(57)【要約】  本発明における箱状体２をグループ化する方法は、列を成した箱状体のうち先頭の箱状体を停止させた後に、グループ化を待っている上流側の縦列の第１の箱状体に対して列の最後の箱状体を横方向に移動させるステップと、最後の箱状体によって解放される空間に上流側の縦列を保持するために停止ユニット１５を導入するステップとを含んでいる。コンベア装置は、箱状体を案内するために利用され、少なくとも箱状体の長手方向の寸法に対応する所定長さで横方向に移動され、且つ列の箱状体の位置でファンネル２１を形成する、無端処理された横方向のレール９と、ファンネルを押すことによって最後の箱状体を横方向に移動させるために利用され、上流側の縦列の第１の箱状体を保持する停止ユニット１５とを備えている。
2009502693.tif 000002
【特許請求の範囲】
【請求項１】
レール（９）の形態をした横方向のガイドによって区切られた通路内において縦列で箱状体を搬送する無端処理されたコンベアベルトを備えたコンベア装置上に、前記箱状体から成る列を編成するために前記箱状体（２）をグループ化する方法において、
前記縦列の先頭に配置された前記箱状体が下流側のストッパ（１２）を利用することによって固定された後に、
グループ化待機状態の上流側の縦列の第１の箱状体に対して前記列の最後の箱状体を横方向にオフセットさせるステップと、
上流側のストッパ（１５）が空間に導かれ、これによりグループ化待機状態の前記第１の箱状体を先頭とする上流側の前記縦列を維持するために、前記最後の箱状体を解放するステップと、
を備えていることを特徴とする方法。
【請求項２】
グループ化待機状態の上流側の前記縦列の箱状体を停止させるように前記上流側のストッパ（１５）が動作するように位置決めされる際に、前記上流側のストッパ（１５）によって形成された前記列の前記最後の箱状体を横方向にオフセットさせるステップを備えていることを特徴とする請求項１に記載の方法。
【請求項３】
前記箱状体の長手方向の長さの約三分の一とされる距離ｄで、前記第１の箱状体からグループ化待機状態の前記第１の箱状体の下流に前記上流のストッパ（１５）を位置決めするステップを備えていることを特徴とする請求項２に記載の方法。
【請求項４】
前記下流側のストッパ（１２）の上流で前記箱状体が通過したことを検知するステップと、
前記下流側のストッパ上に形成された前記列の前記第１の箱状体の衝撃を軽減するために、前記箱状体を供給する前記コンベアベルトの速度を低減するステップと、
を備えていることを特徴とする請求項１〜３のいずれか一項に記載の方法。
【請求項５】
請求項１〜４のいずれか一項に記載の箱状体をグループ化するための方法を実施するためのコンベア装置であって、
前記箱状体から成る前記列を形成するためのストッパ手段、特に前記下流側のストッパ（１２）を備え、
さらに、少なくとも前記箱状体の長手方向の長さに対応する長さを超えて横方向に離間され、これにより前記列の前記最後の箱状体の位置の領域にファンネル（２１）を形成している不連続な横方向のレール（９）と、前記最後の箱状体を前記ファンネル（２１）に押し込むことによって前記最後の箱状体を横方向にオフセットさせ、これによりグループ化待機状態の上流側の前記縦列の前記箱状体を停止させることができる前記上流側のストッパ（１５）を収容するのに十分な空間を解放するための手段とを備えていることを特徴とするコンベア装置。
【請求項６】
対向する横方向の前記レール（９）の前記ファンネル（２１）の形態をしたオフセット部に対向して、不連続な前記レール（９）の側面に横方向に配置されている上流側のストッパシステム（１４）であって、前記箱状体のコンベアベルトの平面に対して垂直な軸を中心として移動可能とされる、フックの形態をしたストッパ（１５）を備えている前記上流側のストッパシステム（１４）を備え、
前記ストッパは、待避位置からグループ化待機状態の上流側の前記縦列の前記箱状体を停止させるための所定位置に移動するようにジャッキ（１７）によって動作することを特徴とする請求項５に記載のコンベア装置。
【請求項７】
前記上流側のストッパシステム（１４）は、フックを備え、
牙の形態をした前記フックの突出部（２０）は、前記コンベアライン上に配置された箱状体の長手方向の長さの約三分の一とされる距離ｄで前記ファンネル（２１）の入口の下流に配置されていることを特徴とする請求項６に記載のコンベア装置。
【請求項８】
前記上流側のストッパシステム（１４）は、付加的な部品として構成され、
前記上流側のストッパは、Ｕ字状断面を有し、前記箱状体の案内通路を形成する前記レール（９）のうち一方のレールに固定可能とされるフレーム（２７）を備え、
前記フレーム（２７）は、前記フックのヒンジピン（３０）を備え、前記フックを動作させるためにジャッキ（１７）を支持していることを特徴とする請求項６又は７に記載のコンベア装置。
【請求項９】
前記上流側のストッパシステム（１４）は、前記フックと前記ジャッキ（１７）との間に介在する支持部に取り付けられ、独立した部品の形態をした保持用フックを備え、
前記支持部は、前記ジャッキ及び前記レバー（２１）の中間部に配置されたＵ字状のブラケット（３１）によって動作するレバー（２９）を備え、
前記Ｕ字状断面の厚さは、前記レール（９）の厚さに対応し、これにより前記フックを、前記ストッパが前記コンベアベルトの右側又は左側に、前記箱状体の前記レール（９）のうち一方のレールに取付可能な位置で固定可能とすることを特徴とする請求項８に記載のコンベア装置。
【請求項１０】
前記箱状体が通過したことを検知し、前記箱状体が前記下流側のストッパに接近した場合に前記箱状体を供給する前記コンベアベルトの速度を低減可能となるように、前記下流側のストッパ（１２）の上流に配置されたセンサ（２４）を備えていることを特徴とする請求項５〜９のいずれか一項に記載のコンベア装置。
【発明の詳細な説明】
【技術分野】
【０００１】
本発明は、箱状体の列を形成することを目的としてコンベア装置上の箱状体をグループ化するための方法に関する。
【０００２】
本発明は、グループ化方法を実行するように構成されたコンベア装置、及び前記方法を実行可能とするための前記コンベア装置に関連する手段に関する。
【背景技術】
【０００３】
コンベア装置上の箱状体から成る列、特に瓶用箱状体から成る列の構成は、例えばこれら箱状体をパレット化する（palletize）ためのシステムに設けられた装置において実現されている。箱状体は、適切な操作装置によってパレット上に載置するために、自身の大きさに従って、例えば３つ、４つ、又は５つ単位でグループ化される。
【０００４】
作業量は、これら箱状体の構成を十分に管理し調整することが益々困難になる程に多く、多くの問題を抱えている。箱状体がコンベアライン、特にコンベアベルト上に単に載置されているにすぎないので、これら箱状体がコンベアベルト上でスリップするという危険性が存在する。
【０００５】
作業プロセスを制御し、且つ箱状体の移動を管理することが可能となるために、箱状体に作用することによって変形や損傷を引き起こす負荷や力は早期摩耗や破壊の原因となる。厳密に言えば、箱状体のグループ化を実現するために、列を形成するプロセスの制御、特に様々な作用の協調を管理することは、益々困難になっている。
【０００６】
このように、例えばリミットストッパが形成された箱状体から成る列を解放した場合には、この列の様々な箱状体は互いに対して略対称的にオフセットされる。このようなオフセットは、箱状体をパレットステーションで新たにグループ化する必要があるので、パレット式が適用される物については欠点となる。
【発明の開示】
【発明が解決しようとする課題】
【０００７】
本発明は、作業量によって顕在化する問題を克服可能とする手段を提案する。この手段は、箱状体の酷使を回避し、高精度で箱状体の列を形成するために、箱状体をグループ化するプロセスの効率を改善し、これにより特に箱状体が互いに接触する状態で小型の箱状体から成る列を形成することができる。
【課題を解決するための手段】
【０００８】
本発明は、無端処理されたコンベアベルトと、箱状体を移動させるために共に通路を形成する横方向のガイドとを備えているコンベア装置に容易に適用可能とされる。これら手段は、コンベア装置の必要な位置であればどこにでも容易に取付可能な付加的な部品とされる。
【０００９】
本発明における方法は、列の先頭を形成する第１の箱状体が下流側のストッパによって固定された後に、前記縦列の最後の箱状体を、グループ化待機状態とされる上流側の縦列の第１の箱状部に対して横方向にオフセットさせるステップと、空間に導入し、これにより上流側のストッパが最後の箱状体によって解放されるステップとを備えている。
【００１０】
本発明におけるさらなる方法は、上流側のストッパによって形成された列の最後の箱状体を横方向にオフセットさせるステップであって、グループ化待機状態とされる上流側の縦列の第１の箱状体を停止させるために、上流側のストッパを動作させるための位置決めと同時に実行される前記ステップを備えている。
【００１１】
本発明の他の装置においては、当該方法は、箱状体の長手方向の寸法の約三分の一とされる上流側の縦列からの距離で上流側の縦列の第１の箱状体の下流に上流側のストッパを位置決めするステップと、形成された箱状体の列を解放し、上流側の縦列の１つ以上の箱状体によって前記列、特に最後の箱状体を押す下流側のストッパをさせる待避ステップと、を備えている。箱状体の列に作用するモーメントによって、箱状体の列を小型にすることができる。
【００１２】
本発明におけるさらなる方法は、適切な手段によって下流側のストッパの上流側で箱状体の通路を検知するステップと、下流側のストッパに形成された列の第１の箱状体に作用する衝撃を軽減するように、前記箱状体を供給するコンベアベルトの速度を低減するステップと、を備えている。
【００１３】
本発明は、前記コンベアベルト及びレールの形態をした横方向のガイドによって区切られた通路内で、一列縦隊で箱状体を運搬可能とされた、無端処理されたベルト式のコンベア装置にも関する。このコンベア装置のコンベアラインは、箱状体から成る列を形成するためのストッパ手段、特に下流側のストッパを備えている。前記コンベア装置は、箱状体の長手方向の寸法に少なくとも対応した所定長さを超えて横方向に離間するように設けられ、これにより列の最後の箱状体の位置の領域内にファンネルを形成する、不連続な横方向のレールを備えている一方で、最後の箱状体を前記ファンネルに押し込むことによって前記ファンネルをオフセットし、これにより所望のタイミングで上流側のストッパを収容し、上流側の縦列の第１の箱状体を保持するための十分な空間を解放するための手段を備えている。
【００１４】
本発明の他の装置においては、上流側のストッパは、連続的なレールの側面に横方向に配置され、レールの対向する側面に形成されたファンネル形状のクランクに対向して設けられている。ストッパは、コンベアベルトの平面に対して垂直な軸を中心とした回転運動で駆動されるフックの形態をしている。フックは、待避位置から、グループ化待機状態で上流側の縦列の第１の箱状体を停止させる位置に通過するために、ジャッキ式の手段によって動作される。
【００１５】
本発明においては、フックは、牙の形態をした突出部を備えている。この突出部は、コンベアベルトに配置された箱状体の長手方向の寸法の約三分の一とされる距離でファンネルの入口に対して下流にオフセットとされている。
【００１６】
本発明における他の装置においては、センサは、列の第１の箱状体と下流側のストッパとの間に作用する衝撃を低減させるために、箱状体の通路を検知し、適切な手段によって前記箱状体を供給するコンベアベルトの速度を低減可能とされるように、下流側のストッパの上流且つ上流側のストッパの下流に配置されている。
【００１７】
本発明は、コンベア装置のための付加的な部品を形成するように構成された上流側のストッパシステムに関する。このストッパシステムは、箱状体の案内通路を形成するレールのうち一方のレールに固定可能な、Ｕ字状断面から成るフレームを備えている。前記ストッパシステムは、フック形状のヒンジピンを備え、前記フックを動作させるためのジャッキを支持している。
【００１８】
本発明の他の構成においては、保持フックは、フックとジャッキとの間に介在する支持部に固定された独立した部分から成る。支持部は、前記ジャッキによって動作されるレバーと、前記フックを固定するブラケットとを備えている。より詳細には、ブラケットは、ストッパ装置を箱状体のガイドレールの一方の側面、すなわちコンベアベルトの右側又は左側に取付可能な位置にフックを取付可能である。
【００１９】
しかしながら、本発明は、図示することを目的とする添付図面と共に以下の説明を読むことによって理解することができる。
【発明を実施するための最良の形態】
【００２０】
図１に表わすコンベア装置は、箱状体２を供給するためにコンベアライン１を備えている。このコンベアライン１は、前記コンベアライン１と中間モジュール３の下流に配置されたコンベアライン４との連結部を形成する中間モジュール３の上流に配置されている。
【００２１】
コンベアライン１のコンベアベルト５とコンベアライン４のコンベアベルト６とは、中間モジュール３に向かって延在している。コンベアベルト５は、中間モジュール３に取り付けられた歯車電動機７によって駆動される。
【００２２】
コンベアベルト５からコンベアベルト６に通過するために、箱状体２は、コンベアベルト５，６の両端部それぞれに配置された２つのコンベアベルト８に載せられ、すなわち搬送され駆動される。これら２つのコンベアベルト８は、無限軌道式トラック（crawler track）の形態とされ、コンベアベルト５の下流側の端部とコンベアベルト６の上流側の端部とを連結している。これらコンベアベルト８は、下流のコンベアベルト６によって直接駆動され、後述するように上流のコンベアベルト５のシャフトに自由状態で取り付けられている。
【００２３】
箱状体２は、様々なコンベアベルト５，６，８によって搬送され駆動され、前記コンベアベルト共に通路（corridor）を形成するレール９によって横方向についてガイドされている。これらレール９は、コンベアラインに固定された構造物１０によって随所に設けられている。
【００２４】
中間モジュール３は、その中心部に、下流側ストッパと呼称される第１の停止システム１１を備え、これにより箱状体の列を形成する際に第１の箱状体２を停止させることができる。この下流側ストッパシステムは、図２に詳細に表わすように、ジャッキ１３によって移動可能とされる実際のストッパ１２を備えている。このストッパ１２は、コンベアライン１のコンベアベルト５の端部とコンベアライン４のコンベアベルト６の端部との間、且つ２つの横方向に配置されたコンベアベルト８の間に配置されている。
【００２５】
下流側のストッパ１２によって停止された箱状体２の数が意図する箱状体の列を形成するために十分である場合には、上流側ストッパと呼称される第２のストッパシステム１４は、上流側の縦列（upstream file）の第１の箱状体を先頭として、上流側の縦列を維持するために作動する。
【００２６】
この第２のストッパシステムは、図３に詳細に表わすように、実際のストッパ１５を備えている。このストッパは、ジャッキ１７によって駆動するアーム１６によって動作するフックの形態をしている。この上流側のストッパシステムは、レール９のうち一方のレールに横方向、特に箱状体２の案内通路の左側のレールに取り付けられている。以下に詳細に説明するように、状況に応じてレールの右側に取り付け可能である。
【００２７】
フックの形態をしたストッパ１５は、横方向のレール９と一体とされるハブ１９のヒンジピン１８によって連接されている。このヒンジピン１８及びハブ１９は、コンベアベルト５の平面に対して垂直とされる。列を成す最後の箱状体が形成された後に配置された箱状体は、フックの突出部（fang）によって機械的に保持されている。しかしながら、このような保持は、動作中のジャッキ１７に付勢される圧力に直接依存している訳ではない。
【００２８】
グループ化の待機（grouping standby）の際に上流側の縦列の第１の箱状体を保持するために、ストッパ１５の突出部２０は箱状体２の移動通路に侵入し、位置決め可能とするために、前記ストッパを押し出し、形成された列の最後の箱状体を列からオフセットする。形成された列の最後の箱状体を横方向にオフセットするために、ストッパ１５に対向して配置されたレール９は、箱状体が案内通路を局所的に拡幅された不連続部を備えている。この拡幅部は、形成された列の最後の箱状体の領域に配置されたファンネル２１（funnel）を形成している。
【００２９】
レール９のオフセット部２２は、バヨネット形状のステープル２３及び下流部における前記レールの折り曲げによって形成されている。このオフセット２２は、図５に表わすように、ストッパ１２の下流から距離Ｄで離間して配置されている。この距離Ｄは、箱状体の列の長さよりも実質的に長い。ファンネル２１の長手方向の長さは、コンベアライン上に配置された箱状体２の長手方向の長さの１．５倍以上である。
【００３０】
箱状体の案内通路の拡幅部は、少なくともフック形状のストッパ１５の突出部２０の大きさに対応している。前記ストッパが能動的停止位置（active stopping position）に位置している場合には、前記突出部が前記通路に侵入している。以下に詳細に説明するように、この突出部２０は、レール９に形成されたオフセット部２２の下流に配置されている。突出部２０が能動的停止位置に位置している場合に突出部２０を離間させる距離ｄは、通路内を移動する箱状体の長手方向の長さの約三分の一である。以下に説明するように、この距離によって、グループ化の待機の際における上流側の縦列の第１の箱状体の停止が遅延可能となり、解放の際に箱状体から成る列が上流側の縦列の第１の箱状体によって押され、これにより前記列の箱状体同士の互いに対する接触が維持される。下流側のストッパ１２が待避する際に上流側の縦列によって箱状体から成る列に作用するモーメントは、前記箱状体から成る列を確実に小型化させるのに十分である。
【００３１】
図４〜図８は、上記の如く詳細に説明した本発明におけるコンベア装置によって箱状体２の列の形成を表わす。これら図面は、箱状体２が簡略化された形態を図示すると共に、コンベア装置の概略的な平面図に対応している。
【００３２】
箱状体２は、上流側のコンベアベルト５及び中間のコンベアベルト８によって、下流側のストッパ１２に向かって供給される。ここで、コンベアベルト８は下流側のコンベアバルト６によって駆動される。右側に配置されたガイドレール９は、不連続部を備えている。このレールは、下流部において、オフセット部２２から延在し、箱状体２の案内通路を拡幅可能とするファンネル２１を形成するように横方向にオフセットされている。
【００３３】
オフセット部２２に対向して、左側に配置された他方のレール９には、第２のストッパシステム１４、いわゆるフック形状の上流側ストッパ１５が設けられている。このストッパは、ジャッキ１７によって動作可能とされる。
【００３４】
図４では、下流側のストッパ１２が能動的停止位置に位置し、上流側のストッパ１５がストッパ非動作位置（inactive position）に位置し、箱状体２がストッパ１２に向かって移動している。
【００３５】
図５では、箱状体の列を形成する４つの箱状体２は下流側のストッパ１２によって停止され、コンベアベルト５によって搬送される他の箱状体は上流側に向かって移動続行される。箱状体から成る列が形成された場合には、図５及び図６に表わすように、形成された列の最後の箱状体は横方向に移動し、ファンネル２１によって形成された空間内に位置決めされる。上流側のストッパがジャッキ１７によってストッパ動作位置に載置された場合には、上流側のストッパ１５の突出部２０が前記列の最後の箱状体を押し、これにより最後の箱状体が横方向にオフセットされるので、上流側のストッパ１５が前記列の最後の箱状体を横方向に移動される。
【００３６】
図７に表わすように、上流側のストッパ１５が能動的動作位置に位置している場合には、下流側のストッパ１２が直ちに待避される。下流側のストッパ１２が待避されることによって、列を形成する４つの箱状体が移動する（remove）。これら箱状体は、コンベアベルト５によって駆動される場合と同様に、２つのコンベアベルト８、その後にコンベアベルト６によって駆動される。
【００３７】
コンベアベルト５に配置された上流側の縦列の様々な箱状体は、待機状態とされ、継続的に回転する前記コンベアベルト上で滑動する。このように、下流側のストッパ１２が待避された場合には、この上流側の縦列の箱状体は移動し、上流側のストッパ１５によって順番に停止されるまで移動する。上流側の箱状体がこのように前進することによって、形成された箱状体の列が容易に始動可能となり、上流側の１つ以上の箱状体は前記列の最後の箱状体を距離ｄよりも長い距離押される。ここで、距離ｄは、コンベア装置上の箱状体の長手方向の長さの約三分の一とされる。
【００３８】
前記箱状体の始動を補助するために前記箱状体から成る列に作用するモーメントは、図６に表わす距離ｄから生じる。図６では、上流側のストッパ１５は、コンベアベルト５によって供給されるグループ化待機状態の上流側の縦列の箱状体を停止させるためにストッパ動作位置に位置している。
【００３９】
図８に表わすように、箱状体の列が下流側のコンベアベルト６によって離間するように運搬され、且つ、下流側のストッパ１２の領域を通過した場合には、図４に表わすように、新しい箱状体の列を形成するために他の箱状体を直ちに停止させて、ストッパ動作位置に復帰する。
【００４０】
過度な衝撃が上流側のストッパ１２に作用することを防止するために、センサ２４がストッパ１２の上流側に取り付けられている場合がある。図４に表わすように、このセンサ２４は、コンベアベルト５の速度を下げ、これにより第１の箱状体が下流側のストッパ１２に作用させる衝撃を低減することにより、箱状体を搬送するコンベアベルト５の速度を調整するために歯車電動機７に作用する適切な手段によって、このことを実現させることができる。
【００４１】
上述のようにコンベアベルト５及びコンベアベルト６が駆動という観点において互いに一体とされていないので、このような速度調整が可能とされる。
【００４２】
図２に表わすように、コンベアベルト５は、歯車電動機７のシャフト２５’によって駆動されるノッチ式のホイール２５に取り付けられている。コンベアベルト６も、中間のモジュール３の構造部に案内された従動シャフト２６’（nonmotorized shaft）によって、ノッチ式のホイール２６に取り付けられている。
【００４３】
無限軌道式トラックの形態をした、コンベアベルト５とコンベアバルト６との間における連続性を確保するコンベアベルト８も、図示しないが、同様に前記コンベアベルトのホイールの両側でシャフト２５’及びシャフト２６’によって駆動されるホイールに取り付けられている。
【００４４】
コンベアベルト８は、下流側のコンベアベルト６、特にコンベアベルト６及びコンベアベルト８の様々なホイールが固定されたシャフト２６’によって駆動される。
【００４５】
コンベアベルト８の他のホイールは、コンベアベルト５の装置を実行するシャフト２５’に自由な状態で取り付けられている。
【００４６】
図９は、箱状体の案内レール９に取り付けられるように構成された上流側のストッパシステムである。この上流側のストッパシステムは、箱状体２の案内通路の右側のレール又は左側のレールに単純な付加的な部品として取り付けられている。
【００４７】
図９は、右側に配置されたレールに取り付けられた上流側のストッパシステムである。このストッパシステムは、Ｕ字状断面部から構成される構造体又はフレーム２７を備えている。このＵ字状断面部はレール９の断面よりも大きい。このフレーム２７は、ジャッキ１７を支持及び案内することを目的として、フック形状のストッパ１５のために機能する。切欠部を有する平坦な形状とされた前記フックは、前記フックとジャッキ１７との間に挿入されており、支持部として機能するように部材２８に固定されている。
【００４８】
図１０に表わすように、フックの外形は、ストッパ非動作位置では箱状体の移動を妨げないように形成されており、レール９に対して僅かに後方に傾斜し、前記レールと面一である。
【００４９】
図１２は、フックを支持する部材２８を表わす。前記部材は、ヒンジピン３０によってフレーム２７に連接されたレバー２９と、右側又は左側に前記フックを取り付けるように構成されたブラケット３１とを備えている。レバー２９とフレーム２７との間に設けられたヒンジピン３０は、垂直方向に延在し、レール９に対して垂直とされる。このヒンジピン３０は、箱状体２がフックの突出部２０に作用させる力及び衝撃を吸収することができる。
【００５０】
レール９の厚さに対応した厚さを有し、Ｕ字状断面の形態をしたブラケット３１は、レバー２９の中央部分に該レバーに対して垂直に固定されている。
【００５１】
図９は、箱状体の案内通路の右側に配置されたレール９に取り付けられた上流側のストッパシステムである。図１１は、前記案内通路の左側のレールに配置され、フックがブラケット２９の他の部分に取り付けられていることを除いて、上述の上流側ストッパシステムと同一とされる上流側のストッパシステムである。
【００５２】
上記２つの実施例では、フレーム２７は、横方向且つ外方に開口した中空断面の形態をしたレール９に固定されている。フレーム２７は、前記レールの空洞に収容されロックされるナット３２及び関連するネジ３３によって、平行四辺形の形態をしたレールに固定されている。
【図面の簡単な説明】
【００５３】
【図１】箱状体から成る列を形成可能なコンベア装置の概略図である。
【図２】形成された列の第１の箱状体を停止させることができる下流側のストッパシステムの部分的な縦断面図である。
【図３】列の最後の箱状体を離間するように分離させ、グループ化待機状態の上流側の縦列の第１の箱状体を停止させることができる上流側のストッパシステムの概略図である。
【図４】箱状体の列を形成するプロセスの様々なステップをさらに概略的に表わす。
【図５】箱状体の列を形成するプロセスの様々なステップをさらに概略的に表わす。
【図６】箱状体の列を形成するプロセスの様々なステップをさらに概略的に表わす。
【図７】箱状体の列を形成するプロセスの様々なステップをさらに概略的に表わす。
【図８】箱状体の列を形成するプロセスの様々なステップをさらに概略的に表わす。
【図９】コンベアラインの通路の右側に配置された横方向のガイドレールに取付可能な付属品の形態をした上流側のストッパ装置の斜視図である。
【図１０】図９の上流側のストッパ装置の概略的な平面図である。
【図１１】コンベアラインの左側に配置された横方向のガイドレールに取り付けられるように構成された上流側のストッパ装置である。
【図１２】フックが箱状体の案内通路を区切る横方向のレールの右側又は左側に位置決めされるように取り付けられている支持部の詳細な斜視図である。
【符号の説明】
【００５４】
１  コンベアライン
２  箱状体
３  中間モジュール
４  コンベアライン
５  コンベアベルト
６  コンベアベルト
８  コンベアベルト
９  ガイドレール
１０  構造物
１１  第１の停止システム
１２  ストッパ
１３  ジャッキ
１４  第２のストッパシステム
１５  ストッパ
１６  アーム
１７  ジャッキ
１８  ヒンジピン
１９  ハブ
２０  突出部
２１  ファンネル
２２  オフセット部
２３  ステープル
２４  センサ
２５  ホイール
２５’  シャフト
２６  ホイール
２６’  シャフト
２７  フレーム
２８  部材
２９  レバー
３０  ヒンジピン
３１  ブラケット
３２  ナット
３３  ネジ
【図１】
2009502693.tif 000003
【図２】
2009502693.tif 000004
【図３】
2009502693.tif 000005
【図４】
2009502693.tif 000006
【図５】
2009502693.tif 000007
【図６】
2009502693.tif 000008
【図７】
2009502693.tif 000009
【図８】
2009502693.tif 000010
【図９】
2009502693.tif 000011
【図１０】
2009502693.tif 000012
【図１１】
2009502693.tif 000013
【図１２】
2009502693.tif 000014
【国際調査報告】
2009502693.tif 000015
2009502693.tif 000016
2009502693.tif 000017
2009502693.tif 000018